(57)【要約】【課題】コストの削減を図りつつ、簡単な構造を有し、且つサーバー本体への取り付けを容易に行うことができる、浄水ボトルを提供する。【解決手段】水道水を濾過することにより浄水を得て、当該浄水をサーバー本体１５０へと供給する浄水ボトル１０であって、水道水を貯えるためのボトル部１２と、水道水を濾過して浄水を得るための濾過部２０とを備え、ボトル部１２は、サーバー本体１５０に形成された嵌合雌部１７０に嵌合される中空の嵌合雄部１６を含み、濾過部２０が嵌合雄部１６の内部に収容されるように取り付けられることを特徴とする。【選択図】図１
2019147562.tif 000002
【特許請求の範囲】
【請求項１】
水道水を濾過することにより浄水を得て、前記浄水をサーバー本体へと供給する浄水ボトルであって、
前記水道水を貯えるためのボトル部と、前記水道水を濾過して浄水を得るための濾過部とを備え、
前記ボトル部は、前記水道水が貯えられる貯水部と、前記貯水部から突出するように形成され、前記サーバー本体に形成された嵌合雌部に嵌合される中空の嵌合雄部とを含み、
前記濾過部が前記嵌合雄部の内部に収容されるように取り付けられることを特徴とする、浄水ボトル。
【請求項２】
前記濾過部は、
蓋底部に貫通孔が穿設された蓋部材と、
その内部を通過させることにより前記水道水を濾過する濾過フィルタと、
その内部に前記濾過フィルタを収容し、且つ前記ボトル部の嵌合雄部の内部に収容されるフィルタ収容部材とを含み、
前記嵌合雄部の先端部分に着脱自在に取り付けられる、請求項１に記載の浄水ボトル。
【請求項３】
前記フィルタ収容部材は、その側部の前記ボトル部側の先端部分に格子部を備え、前記格子部は前記貯水部の内部に配設される、請求項２に記載の浄水ボトル。
【請求項４】
前記フィルタ収容部材は、前記サーバー本体の側へ向かうほど幅方向に沿った横断部分の内径が小さくなる略テーパー状のフィルタ収容底部を含み、前記フィルタ収容底部の略中央には貫通孔が形成され、
前記濾過フィルタは、その底部が前記フィルタ収容底部の上端縁と同じ又はほぼ同じ高さ位置となるように配設される、請求項２または３に記載の浄水ボトル。
【請求項５】
前記蓋部材は、前記蓋底部の端縁から立ち上がるように形成された蓋側部を含み、前記蓋側部の内面には前記嵌合雄部の先端部分の外面に形成された雄螺子部と螺合する雌螺子部が形成される、請求項２ないしは４のいずれかに記載の浄水ボトル。
【請求項６】
前記蓋底部に穿設された貫通孔を開閉するための弁部材をさらに備える、請求項２ないしは５のいずれかに記載の浄水ボトル。
【請求項７】
請求項１〜６のいずれかに記載の浄水ボトルと、前記浄水ボトルが交換可能に取り付けられるサーバー本体とを備える、ウォーターサーバー。
【請求項８】
前記浄水ボトルの底部と前記サーバー本体の天部との間に介在するように配設される介在部材をさらに備える、請求項７に記載のウォーターサーバー。
【請求項９】
前記介在部材は、前記弁部材を底部側から押し広げるように開くための突出棒を含む、請求項８に記載のウォーターサーバー。
【請求項１０】
前記サーバー本体は、前記弁部材を底部側から押し広げるように開くための突出棒を含む、請求項７または８に記載のウォーターサーバー。
【発明の詳細な説明】
【技術分野】
【０００１】
この発明は、浄水ボトル及びそれを用いたウォーターサーバーに関し、より詳細には、貯えた水道水を濾過することにより浄水を得て、当該浄水をサーバー本体へと供給する、浄水ボトル及びそれを用いたウォーターサーバーに関する。
【背景技術】
【０００２】
給水や給湯を行うためのウォーターサーバーが、オフィスや公共施設などで広く用いられている。ウォーターサーバーは、一般に、蛇口などを備えたサーバー本体と、サーバー本体に交換可能に取り付けられた貯水用のボトルとを備える。このようなウォーターサーバーは、ボトルに貯えられた浄水が無くなった場合、業者から新たに購入して配達などしてもらう必要があるため、コストが高くなってしまうという問題があった。このような問題を解決するため、濾過部を備えた浄水ボトルが知られている。浄水ボトルは、水道水を貯えるためのボトル部と、水道水を濾過するための濾過部とを備える。浄水ボトルは、これらの構成により、貯えた水道水を濾過して浄水を得ることができる。そして、このようにして得られた浄水がサーバー本体へと供給される。上記したような浄水ボトルが、例えば、登録実用新案第３０１７３６８号公報（以下「特許文献１」という）や、特開２０１４−２２６６６３号公報（以下「特許文献２」という）などに開示されている。
【０００３】
特許文献１の浄水供給装置は、浄水受口に取付けられるボトルの上部に水道水を注入する注入口を形成し、ボトル内にはフィルタつまりろ過器を内蔵させたので、水道水からフィルタを用いて浄水を得ることが記載されている。また、特許文献１には、上述のボトルを上下に２分割して、アッパボトルにはその上部に注入口を、底壁に弁機構をそれぞれ設け、ロアボトルにはその下部に浄水出口を、天壁に弁機構を、天壁下部にフィルタをそれぞれ設けた旨が記載されている。
【０００４】
特許文献２のウォーターサーバー用ボトル浄水器は、蓋を開けて上部バケットに水を入れると、第１フィルタが自動的に作動し、ろ過が始まる旨が記載されている。また、特許文献２には、上部バスケットに水がたまり始めると、第１フィルタ内にあるフロート式センサーの磁気フローターが浮き始め、それと同時にモーターポンプが作動し、チューブを通して上部バケットに入っている水を吸い込み、チューブを通して中空糸膜フィルタに送水し、バケット内の水が少なくなってくると磁気フローターは下がり始め、水がなくなると同時にモーターポンプが自動的に止まる旨が記載されている。
【先行技術文献】
【特許文献】
【０００５】
【特許文献１】登録実用新案第３０１７３６８号公報
【特許文献２】特開２０１４−２２６６６３号公報
【発明の概要】
【発明が解決しようとする課題】
【０００６】
特許文献１の浄水供給装置は、ボトルを上下に２分割し、アッパボトルの底壁に弁機構を設け、且つロアボトルの天壁に弁機構を設け天壁下部にフィルタを設けるなどする構造である。すなわち、特許文献１の浄水供給装置は、部品点数の多い複雑な構造であり、且つサーバー本体への取付け手順が煩雑であるという問題があった。また、特許文献２のウォーターサーバー用ボトル浄水器についても、ボトル内において濾過前の水道水を貯水する上部バケットを設け、さらに、磁気フローターやモーターポンプ、および中空糸膜フィルタに送水するためのチューブなどを備えた構造であり、上記した特許文献１と同様の問題を有していた。
【０００７】
それゆえに、この発明の目的は、コストの削減を図りつつ、簡単な構造を有し、且つサーバー本体への取り付けを容易に行うことができる、浄水ボトルを提供することである。
この発明の他の目的は、コストの削減を図りつつ、簡単な構造を有し、且つサーバー本体への取り付けを容易に行うことができる浄水ボトルと、当該浄水ボトルが交換可能に取り付けられるサーバー本体とを備えたウォーターサーバーを提供することである。
【課題を解決するための手段】
【０００８】
この発明に係る浄水ボトルは、水道水を濾過することにより浄水を得て、浄水をサーバー本体へと供給する浄水ボトルであって、水道水を貯えるためのボトル部と、水道水を濾過して浄水を得るための濾過部とを備え、ボトル部は、水道水が貯えられる貯水部と、貯水部から突出するように形成され、サーバー本体に形成された嵌合雌部に嵌合される中空の嵌合雄部とを含み、濾過部が嵌合雄部の内部に収容されるように取り付けられることを特徴とする。
【０００９】
好ましくは、濾過部は、蓋底部に貫通孔が穿設された蓋部材と、その内部を通過させることにより水道水を濾過する濾過フィルタと、その内部に濾過フィルタを収容し、且つボトル部の嵌合雄部の内部に収容されるフィルタ収容部材とを含み、嵌合雄部の先端部分に着脱自在に取り付けられる。
【００１０】
さらに好ましくは、フィルタ収容部材は、その側部のボトル部側の先端部分に格子部を備え、格子部は貯水部の内部に配設される。
【００１１】
さらに好ましくは、フィルタ収容部材は、サーバー本体の側へ向かうほど幅方向に沿った横断部分の内径が小さくなる略テーパー状のフィルタ収容底部を含み、フィルタ収容底部の略中央には貫通孔が形成され、濾過フィルタは、その底部がフィルタ収容底部の上端縁と同じ又はほぼ同じ高さ位置となるように配設される。
【００１２】
さらに好ましくは、蓋部材は、蓋底部の端縁から立ち上がるように形成された蓋側部を含み、蓋側部の内面には嵌合雄部の先端部分の外面に形成された雄螺子部と螺合する雌螺子部が形成される。
【００１３】
さらに好ましくは、蓋底部に穿設された貫通孔を開閉するための弁部材をさらに備える。
【００１４】
この発明に係るウォーターサーバーは、上記いずれかの浄水ボトルと、浄水ボトルが交換可能に取り付けられるサーバー本体とを備える。
【００１５】
好ましくは、浄水ボトルの底部とサーバー本体の天部との間に介在するように配設される介在部材をさらに備える。
【００１６】
さらに好ましくは、介在部材は、弁部材を底部側から押し広げるように開くための突出棒を含む。
【００１７】
好ましくは、サーバー本体は、弁部材を底部側から押し広げるように開くための突出棒を含む。
【発明の効果】
【００１８】
この発明によれば、コストの削減を図りつつ、簡単な構造を有し、且つサーバー本体への取り付けを容易に行うことができる、浄水ボトルを提供し得る。
また、この発明によれば、コストの削減を図りつつ、簡単な構造を有し、且つサーバー本体への取り付けを容易に行うことができる浄水ボトルと、当該浄水ボトルが交換可能に取り付けられるサーバー本体とを備えたウォーターサーバーを提供し得る。
【００１９】
この発明の上述の目的、その他の目的、特徴及び利点は、図面を参照して行う以下の発明を実施するための形態の説明から一層明らかとなろう。
【図面の簡単な説明】
【００２０】
【図１】この発明の一実施の形態に係る浄水ボトルの使用態様を示す高さ方向に沿った断面図である。
【図２】この発明の一実施の形態に係る浄水ボトルが備える各部材の分解斜視図、および介在部材の高さ方向に沿った断面図である。
【図３】この発明の一実施の形態に係る浄水ボトルの使用態様における高さ方向に沿った拡大断面図に水道水の流路を矢印で示した図である。
【図４】この発明の他の実施の形態に係る浄水ボトルの使用態様を示す高さ方向に沿った断面図である。
【図５】この発明の他の実施の形態に係る浄水ボトルが備える各部材の分解斜視図、および介在部材の高さ方向に沿った断面図である。
【図６】この発明の他の実施の形態に係る浄水ボトルの使用態様における高さ方向に沿った拡大断面図に水道水の流路を矢印で示した図である。
【図７】この発明の一実施の形態に係る浄水ボトルの他の使用態様を示す高さ方向に沿った断面図である。
【発明を実施するための形態】
【００２１】
（一実施の形態）
以下、この発明の一実施の形態に係る浄水ボトルについて、図１、図２および図３に基づいて説明する。図１は、この発明の一実施の形態に係る浄水ボトルの使用態様を示す高さ方向に沿った断面図である。図２は、この発明の一実施の形態に係る浄水ボトルが備える各部材の分解斜視図、および介在部材の高さ方向に沿った断面図である。図３は、この発明の一実施の形態に係る浄水ボトルの使用態様における高さ方向に沿った拡大断面図に水道水の流路を矢印で示した図である。
【００２２】
（浄水ボトル１０）
この発明の一実施の形態に係る浄水ボトル１０は、給水や給湯を行うためのサーバー本体１５０に交換可能に取り付けて用いられる。浄水ボトル１０は、水道水を貯えるためのボトル部１２と、水道水を濾過するための濾過部２０とを備える。すなわち、浄水ボトル１０は、ボトル部１２に貯えられた水道水を濾過部２０により濾過して浄水を得、当該浄水をサーバー本体１５０へと供給する。なお、浄水ボトル１０は、略円板状の介在部材９０を介して、サーバー本体１５０に取り付けられる。ここで、浄水ボトル１０、介在部材９０およびサーバー本体１５０を備えた構造が、ウォーターサーバー１００である。
【００２３】
（ボトル部１２）
ボトル部１２は、水道水を貯えるための貯水部１４と、貯水部１４の底部（すなわち、サーバー本体１５０の天部と近接して対向する部分）の平面視略中央部分からサーバー本体１５０側へと突き出るように形成された嵌合雄部１６とを含む。嵌合雄部１６は、中空の略筒状に形成される。そして、嵌合雄部１６は、その中空部分の根元が貯水部１４の中空部分と連なり、且つその中空部分の先端部分が開口となる。さらに、嵌合雄部１６の先端部分の外面には、後述する蓋部材３０の雌螺子部３８に螺合される雄螺子部１８が形成される。
【００２４】
ボトル部１２の天部には、把持部１９が形成される。把持部１９は、貯水部１４と互いの天部がフラットに形成される。これにより、浄水ボトル１０は、サーバー本体１５０から取り外した際、嵌合雄部１６の開口を上にした状態で安定して載置することができるため、貯水作業を容易に行うことが可能となる。
【００２５】
ボトル部１２は、例えば、ポリカーボネートを用いて形成することができる。ポリカーボネートは、透明または半透明であり、高温や低温に強く、また、適度な剛性を有するため、ボトル部１２の材料に適している。
【００２６】
サーバー本体１５０は、略直方体状に形成される。サーバー本体１５０の天部（すなわち、ボトル部１２の底部と近接して対向する部分）には、平面視略中央部分から凹むように嵌合雌部１７０が形成される。この実施の形態に係る嵌合雌部１７０は、有底の略円筒状である。嵌合雌部１７０には、上記したボトル部１２の嵌合雄部１６と介在部材９０の後述する介在嵌合雄部９４とが嵌め込まれる。したがって、嵌合雌部１７０は、ボトル部１２の嵌合雄部１６および介在嵌合雄部９４に対応した形状を有し、その外径および高さ方向の寸法は、ボトル部１２の嵌合雄部１６および介在嵌合雄部９４のそれらより僅かに大きい。嵌合雌部１７０の底部の平面視略中央部分には、サーバー本体１５０の内部へと通じるサーバー貫通孔１７２が穿設される。
【００２７】
（濾過部２０）
濾過部２０は、ボトル部１２の嵌合雄部１６の先端部分に着脱自在に螺合される蓋部材３０と、蓋部材３０の内部に収容される弁部材４０と、ボトル部１２の嵌合雄部１６内に収容されるフィルタ収容部材５０と、フィルタ収容部材５０に収容され、その内部に水道水を通過させることにより濾過して浄水を得るための濾過フィルタ６８と、ボトル部１２内などの空気圧を調整するための圧力調整パイプ７０と、ボトル部１２に貯えられた水道水がフィルタ収容部材５０の外面と嵌合雄部１６の内面の間からサーバー本体１５０の側へと漏れ出すことを防止するためのシール部材７２と、蓋部材３０の底部（蓋底部３２）とフィルタ収容部材５０の底部（フィルタ収容第１底部５２）との間に間隙を形成するための台座８０とを含む。
【００２８】
蓋部材３０は、円板状の蓋底部３２と、蓋底部３２の端縁から立ち上がる蓋側部３６とを有する。蓋底部３２の平面視略中央部分には、平面視略円形状の蓋貫通孔３４が穿設される。また、蓋側部３６の内面には、上記したボトル部１２の雄螺子部１８に螺合される雌螺子部３８が形成される。
【００２９】
弁部材４０は、例えば、可撓性を有した合成樹脂などにより円板状に形成される。弁部材４０の平面視略中央部分には、弁部材４０の他の部分よりも厚みが薄くされた端縁を有する弁開閉部４２が形成される。弁開閉部４２の当該端縁は、平面視略円形状である。また、弁開閉部４２には、その中心で直角に交差する十字状の切込みが形成され、これにより、後述する介在部材９０の突出棒９８に底部側から押されたとき、押し広げられるように開かれる。
【００３０】
弁部材４０は、蓋底部３２の内面に互いの軸線が揃うように載置される。したがって、弁部材４０の直径は、蓋底部３２の内面のそれと同じかまたは僅かに小さい。また、弁開閉部４２の軸線は、蓋貫通孔３４のそれと揃った状態になる。
【００３１】
フィルタ収容部材５０は、サーバー本体１５０の側（すなわち、下側）へ向かうほど幅方向に沿った横断部分の内径が小さくなる略テーパー状のフィルタ収容第１底部５２（フィルタ収容底部）と、フィルタ収容第１底部５２の端縁から立ち上がるフィルタ収容側部６２とを有する。すなわち、フィルタ収容部材５０は、有底で且つ天部が開放された中空の略円筒形状である。フィルタ収容第１底部５２の平面視略中央部分には、フィルタ収容突部５３が形成される。フィルタ収容突部５３は、サーバー本体１５０の側へ向かうほど幅方向に沿った横断部分の内径が小さくなる略テーパー状であり、フィルタ収容第１底部５２の他の部分よりも急な勾配で傾斜する。フィルタ収容突部５３の平面視略中央部分には、平面視略円形状のフィルタ収容第１貫通孔５４が穿設される。
【００３２】
フィルタ収容側部６２の外面には、円環状のシール部材７２を嵌合するための嵌合凹部６４が形成される。また、フィルタ収容側部６２の先端部分には、格子部６６が形成される。格子部６６は、側面視略四角状の複数の貫通孔が格子状に配設されることにより形成される。格子部６６は、濾過部２０がボトル部１２の嵌合雄部１６内に収容されるように取り付けられたとき、ボトル部１２の嵌合雄部１６から突き出て貯水部１４内に位置するようになる。このとき、フィルタ収容部材５０の格子部６６を除いた部分は、貯水部１４まで至らないことが好ましい。
【００３３】
濾過フィルタ６８は、フィルタ収容部材５０の中空部分に対応した円柱状に形成される。濾過フィルタ６８は、フィルタ収容部材５０に収容されたとき、その側部がフィルタ収容側部６２の内面に当接し、その底部がフィルタ収容第１底部５２の近傍に位置するようになる。また、濾過フィルタ６８は、その側部の下端部分が円周方向全域においてフィルタ固着部６９によりフィルタ収容側部６２の内面に固着される。濾過フィルタ６８は、その底部がフィルタ収容第１底部５２の上端縁と同じか又はほぼ同じ高さ位置となるように配設される。このとき、フィルタ収容第１底部５２の内面と、濾過フィルタの底部との間に第１の空間部８４が形成される。第１の空間部８４の底部は、フィルタ収容第１底部５２の形状により、その幅方向における中央に向かうほど高さが低くなるように傾斜した形状である。第１の空間部８４の底部は、特に、その幅方向における中央近傍において、フィルタ収容突部５３の形状により、他の部分よりも急な勾配で傾斜した形状である。
【００３４】
圧力調整パイプ７０は、濾過部２０と同じ軸線方向（すなわち、サーバー本体１５０に取り付けられた状態における高さ方向）を有するように、フィルタ収容側部６２の内面に沿って配設される。圧力調整パイプ７０の下端部（すなわち、サーバー本体１５０側の先端部）は、濾過フィルタ６８の底部と高さ方向において同じ位置になる。また、圧力調整パイプ７０の上端部（すなわち、ボトル部１２側の先端部）は、ボトル部１２の天部近傍に位置する。
【００３５】
台座８０は、その天部および底部に開口を有した略円筒状に形成される。台座８０の外径は、フィルタ収容部材５０の外径およびボトル部１２の嵌合雄部１６の内径と同じか又はほぼ同じである。また、台座８０の高さ方向の寸法は、ボトル部１２の嵌合雄部１６の高さ方向の寸法と、フィルタ収容部材５０の格子部６６を除いた部分の高さ方向の寸法との差にほぼ等しい。すなわち、台座８０の高さ方向の寸法と、フィルタ収容部材５０の格子部６６を除いた部分の高さ方向の寸法との和が、ボトル部１２の嵌合雄部１６の高さ方向の寸法と同じか又はほぼ同じとなる。
【００３６】
（介在部材９０）
介在部材９０は、平面視略円形状の介在部本体９２と、介在部本体９２の平面視略中央部分に形成された貫通孔と、介在部本体９２の底部において当該貫通孔の端縁部分から突き出るように形成された中空の介在嵌合雄部９４とを有する。
【００３７】
介在部本体９２は、その外縁から屈曲してサーバー本体１５０の側（すなわち、下方側）へと延在する介在外縁部９３ａと、介在部本体９２の底面から突出するように形成され、その先端部の高さ位置が介在外縁部９３ａのそれと同じか又はほぼ同じである介在中縁部９３ｂとを有する。介在外縁部９３ａおよび介在中縁部９３ｂそれぞれは、底面視略円形状である。介在中縁部９３ｂは、介在外縁部９３ａと介在嵌合雄部９４の外縁との幅方向における中間辺りに形成される。
【００３８】
介在嵌合雄部９４は、有底で天部が開放された略円筒形状である。介在嵌合雄部９４の天部が開放されていることにより、介在嵌合雄部９４は、その中空部分が貯水部１４の中空部分と互いに連なった態様となる。介在嵌合雄部９４の底部における平面視略中央部分には、平面視略円形状の介在貫通孔９６が穿設される。そして、介在嵌合雄部９４の底部の内面において、介在貫通孔９６の端縁部分から突き出るように突出棒９８が形成される。突出棒９８は中空であり、その先端部が塞がれ、且つその根元部が介在貫通孔９６と連通された態様である。突出棒９８の側部には、突出棒９８の中空部分と通じるように４つの導通孔９９が穿設される。当該４つの導通孔９９それぞれは、高さ方向に延びたスリット状であり、周方向において互いに等間隔で穿設される。
【００３９】
介在嵌合雄部９４は、サーバー本体１５０の嵌合雌部１７０に嵌合される。そして、介在嵌合雄部９４の内部には、浄水ボトル１０の嵌合雄部１６が嵌合される。したがって、介在嵌合雄部９４は、その外径がサーバー本体１５０の嵌合雌部１７０の内径よりも僅かに小さく、且つその内径が浄水ボトル１０の嵌合雄部１６および蓋部材３０の外径よりも僅かに大きい。
【００４０】
（サーバー本体１５０への取付け手順）
以下、この発明の一実施の形態に係る浄水ボトル１０を組み立てて、サーバー本体１５０に取り付ける手順の一例について説明する。なお、以下の説明では、浄水ボトル１０の各部材を組み立てる段階から説明しているが、浄水ボトル１０は予め組み立てられ完成した状態で製品化されることが好ましい。
【００４１】
最初に、ボトル部１２の嵌合雄部１６の内部に収容するように、濾過部２０を取り付ける。具体的には次の通りである。
【００４２】
まず、濾過フィルタ６８を、フィルタ収容部材５０の天部に形成された開口からフィルタ収容部材５０の内部へと挿入して収容する。このとき、濾過フィルタ６８は、その側部がフィルタ収容側部６２の内面に当接し、その底部がフィルタ収容第１底部５２の近傍に位置するようになる。また、濾過フィルタ６８は、その側部の下端部分が円周方向の全域においてフィルタ固着部６９によりフィルタ収容側部６２の内面に固着される。
【００４３】
次に、圧力調整パイプ７０をフィルタ収容部材５０に取り付ける。このとき、圧力調整パイプ７０は、フィルタ収容部材５０の内面に沿って取り付けられる。そして、圧力調整パイプ７０は、一方の端部が高さ方向において濾過フィルタ６８の底部と同じ位置になり、且つ他方の端部がフィルタ収容部材５０の天部に形成された開口から突出する。
【００４４】
さらに、フィルタ収容部材５０の外面に形成された嵌合凹部６４に、円環状のシール部材７２が嵌合される。
【００４５】
そして、蓋底部３２の内面に弁部材４０を載置することにより、蓋部材３０の内部に弁部材４０を収容する。このとき、蓋底部３２に形成された蓋貫通孔３４と、弁部材４０に形成された弁開閉部４２とが軸線方向に連なった状態となる。
【００４６】
次に、弁部材４０の上面に台座８０を載置する。すなわち、台座８０の下端部が弁部材４０の外縁部分に当接した状態となる。
【００４７】
さらに、台座８０の上端部にフィルタ収容部材５０を載置する。このとき、台座８０の上端面の内縁部分にフィルタ収容第１底部５２の外縁部分が当接した状態となる。また、蓋部材３０の底部（蓋底部３２）とフィルタ収容部材５０の底部（フィルタ収容第１底部５２）との間に第２の空間部８６が形成される。なお、第２の空間部８６は、略円筒状に形成された台座８０の中空部分の一部である。
【００４８】
そして、上記のように組み立てた各部材をフィルタ収容部材５０の天部側からボトル部１２の嵌合雄部１６内に挿入していき、蓋側部３６の内面に形成された雌螺子部３８と、ボトル部１２の嵌合雄部１６の外面に形成された雄螺子部１８とを螺合する。すると、弁部材４０、台座８０、フィルタ収容部材５０および濾過フィルタ６８がボトル部１２の嵌合雄部１６内に収容された態様となる。なお、フィルタ収容部材５０の上端部分に形成された格子部６６は、ボトル部１２の貯水部１４へと突き出た態様になる。さらに、圧力調整パイプ７０の他方の端部（すなわち、上端部）は、貯水部１４の天部近傍に位置する。上記のようにして、ボトル部１２に濾過部２０が取り付けられた浄水ボトル１０を得る。
【００４９】
次に、介在部材９０をサーバー本体１５０に取り付ける。具体的には、介在部材９０の介在嵌合雄部９４をサーバー本体１５０の嵌合雌部１７０に嵌め込み、介在部材９０の介在部本体９２をサーバー本体１５０の天面に載置された状態にする。このとき、介在部材９０に形成された突出棒９８と、サーバー本体１５０のサーバー貫通孔１７２とが軸線方向に連なった状態となる。また、介在部本体９２の底面側に形成された介在外縁部９３ａ及び介在中縁部９３ｂにより、介在部材９０とサーバー本体１５０の間に中空部分が形成される。介在部本体９２は、当該中空部分により、その高さ方向においてクッション性を有する。
【００５０】
最後に、サーバー本体１５０に取り付けられた介在部材９０の介在嵌合雄部９４の中空部分に、浄水ボトル１０の嵌合雄部１６を嵌合する。また、当該嵌合の過程において、介在部材９０の突出棒９８が、蓋部材３０に穿設された蓋貫通孔３４を通り抜ける。さらに、介在部材９０の突出棒９８は、弁開閉部４２を底面側から押し広げるように開きながら通り抜け、フィルタ収容突部５３の先端部分の近傍にまで至る。また、ボトル部１２の底面は、介在部材９０を介してサーバー本体１５０の天面と相対する。ボトル部１２は、介在部材９０がクッション性を有することにより、サーバー本体１５０に衝撃を与えず安定した状態で設置される。この発明の一実施の形態に係る浄水ボトル１０は、上記のようにして、サーバー本体１５０に取り付けられる。
【００５１】
（水道水の濾過態様）
次に、浄水ボトル１０により水道水を濾過して浄水を得る態様について、図３に基づいて説明する。図３は、この発明の一実施の形態に係る浄水ボトルの使用態様における高さ方向に沿った拡大断面図に水道水の流路を矢印で示した図である。
【００５２】
ボトル部１２の貯水部１４に貯えられた水道水は、フィルタ収容側部６２の上端部分に形成された格子部６６からフィルタ収容部材５０内へと流れ込む。このとき、水道水は、格子部６６の複数の貫通孔それぞれからフィルタ収容部材５０内へと流れ込む。したがって、濾過部２０は、このような格子部６６により、様々な方向から水道水を取り込むことができるため、効率よく濾過を行うことが可能となる。
【００５３】
格子部６６からフィルタ収容部材５０の内部へと流れ込んだ水道水は、濾過フィルタ６８の内部を通り抜け、濾過フィルタ６８の底部とフィルタ収容第１底部５２の内面との間に形成された第１の空間部８４に至る。水道水は、このように濾過フィルタ６８の内部を通り抜けることにより濾過され、浄水となる。なお、フィルタ収容側部６２の嵌合凹部６４に嵌合されたシール部材７２により、水道水がフィルタ収容部材５０の外面と嵌合雄部１６の内面との間からサーバー本体１５０側へと漏れ出すことが防止できる。
【００５４】
濾過済みの水道水（すなわち、浄水）は、第１空間部８４を経てフィルタ収容突部５３の先端部分に形成されたフィルタ収容第１貫通孔５４まで至る。このとき、第１空間部８４の底部がその中心（すなわち、フィルタ収容第１貫通孔５４）に向かうほど高さ位置が低くなるように傾斜した形状であるため、浄水は効率よくフィルタ収容第１貫通孔５４まで導かれる。
【００５５】
フィルタ収容第１貫通孔５４を通り抜けた浄水は、台座８０の中空部分の一部である第２の空間部８６を経て、介在部材９０の突出棒９８にスリット状に穿設された４つの導通孔９９それぞれから当該突出棒９８の内部へと流れ込む。
【００５６】
突出棒９８の内部へと流れ込んだ浄水は、介在部材９０に穿設された介在貫通孔９６、およびサーバー本体１５０に穿設されたサーバー貫通孔１７２を経て、サーバー本体１５０の内部へと流れ込む。上記のように、浄水ボトル１０を用いて浄水を得、当該浄水をサーバー本体１５０へと供給することができる。
【００５７】
（効果）
この発明の一実施の形態に係る浄水ボトル１０は、水道水を貯えるためのボトル部１２と、ボトル部１２に貯えられた水道水を濾過するための濾過部２０とを備える。したがって、浄水が無くなった場合であっても、業者から新たに購入して配達などしてもらう必要がないため、コストの削減を図ることができる。さらに、この発明の一実施の形態に係る浄水ボトル１０は、濾過部２０がボトル部１２の嵌合雄部１６に収容されるように取り付けて用いられる。これにより、浄水ボトル１０は、例えば、濾過部が水道水を貯えるための空間内に配設される既存の浄水ボトルと比較して、簡単な構造であり、且つサーバー本体１５０への取り付けを容易に行うことができる。
【００５８】
また、この発明の一実施の形態に係る浄水ボトル１０が備える濾過部２０は、ボトル部１２の嵌合雄部１６の先端部分に取り付けられる蓋部材３０と、その内部を水道水が通過することにより濾過を行う濾過フィルタ６８と、ボトル部１２の嵌合雄部１６内に収容され、且つ濾過フィルタ６８を収容するためのフィルタ収容部材５０とを含み、ボトル部１２の嵌合雄部１６の先端部分に着脱自在に取り付けられる。これにより、浄水ボトル１０は、定期的に行われることが好ましい濾過部２０（特に、濾過フィルタ６８およびフィルタ収容部材５０）の交換作業を容易に行うことができる。
【００５９】
また、この発明の一実施の形態に係る浄水ボトル１０が備える濾過部２０は、貯水部１４の内部に配設される格子部６６を含む。この格子部６６により、貯水部１４内に貯えられた水道水を様々な方向から濾過部２０の内部に取り入れることができるため、効率良く水道水を濾過することが可能となる。
【００６０】
さらに、この発明の一実施の形態に係る浄水ボトル１０が備えるフィルタ収容部材５０は、サーバー本体１５０の側へ向かうほど幅方向に沿った横断部分の内径が小さくなる略テーパー状のフィルタ収容第１底部５２（フィルタ収容底部）を含み、フィルタ収容第１底部５２の略中央には貫通孔が形成される。そして、濾過フィルタ６８は、その底部がフィルタ収容第１底部５２の上端縁と同じか又はほぼ同じ高さ位置となるように配設される。フィルタ収容部材５０の濾過フィルタ６８が収容される下方部分には、上記した構造により、第１の空間部８４が形成される。濾過フィルタ６８を通り抜けた水道水（すなわち、浄水）は、第１の空間部８４の形状により、効率よくフィルタ収容第１貫通孔５４へと流入していく。浄水ボトル１０は、上記した構造により、効率良く水道水を濾過することが可能となる。なお、この実施の形態に係る浄水ボトル１０は、フィルタ収容第１底部５２（フィルタ収容底部）の平面視略中央部分に形成されたフィルタ収容突部５３をさらに備える。フィルタ収容突部５３は、サーバー本体１５０の側へ向かうほど幅方向に沿った横断部分の内径が小さくなる略テーパー状であり、フィルタ収容第１底部５２の他の部分よりも急な勾配で傾斜する。したがって、この実施の形態に係る浄水ボトル１０は、より効率良く水道水を濾過することが可能となる。
【００６１】
そして、この発明の一実施の形態に係る浄水ボトル１０が備える蓋部材３０は、略円板状に形成された蓋底部３２と、当該蓋底部３２の端縁から立ち上がるように形成された蓋側部３６とを含む。さらに、蓋側部３６の内面に雌螺子部３８が形成され、当該雌螺子部３８は、ボトル部１２の嵌合雄部１６の先端部分の外面に形成された雄螺子部１８と螺合される。浄水ボトル１０は、このような蓋部材３０を備えることにより、ボトル部１２から濾過部２０の着脱を容易に行うことができる。したがって、例えば、定期的に行うことが好ましい濾過フィルタ６８の交換作業を一層容易に行うことができる。
【００６２】
また、この発明の一実施の形態に係るウォーターサーバー１００は、上記した浄水ボトル１０と、浄水ボトル１０が交換可能に取り付けられるサーバー本体１５０と、サーバー本体１５０とボトル部１２との間に介在するように配設される介在部材９０とを備える。そして、当該介在部材９０は、サーバー本体１５０の天部とボトル部１２の底部との間に介在するように配設される平面視略円形状の介在部本体９２と、介在部本体９２の平面視略中央部分から突き出るように形成され、サーバー本体１５０の嵌合雌部１７０の内面とボトル部１２の嵌合雄部１６の外面との間に介在するように配設される中空の介在嵌合雄部９４とを含む。このような介在部材９０により、浄水ボトル１０とサーバー本体１５０との形状の違いを吸収することができる。したがって、ウォーターサーバー１００は、介在部材９０を備えることにより、浄水ボトル１０を様々なサーバー本体１５０に汎用的に用いることが可能となる。
【００６３】
（他の実施の形態）
以下、この発明の他の実施の形態に係る浄水ボトルについて、図４、図５および図６に基づいて説明する。なお、この実施の形態では、フィルタ収容部材および介在部材が有する突出棒の構造のみ上記した実施の形態と異なり、他の構造は同様である。したがって、同一部分には同じ参照番号を付し、同様となる説明は繰り返さない。図４は、この発明の他の実施の形態に係る浄水ボトルの使用態様を示す高さ方向に沿った断面図である。図５は、この発明の他の実施の形態に係る浄水ボトルが備える各部材の分解斜視図、および介在部材の高さ方向に沿った断面図である。図６は、この発明の他の実施の形態に係る浄水ボトルの使用態様における高さ方向に沿った拡大断面図に水道水の流路を矢印で示した図である。
【００６４】
フィルタ収容部材５０は、円板状のフィルタ収容第１底部５２と、フィルタ収容第１底部５２の端縁から立ち上がるフィルタ収容側部６２とを有する。すなわち、フィルタ収容部材５０は、有底で且つ天部が開放された中空の略円筒形状である。フィルタ収容第１底部５２の平面視略中央部分には、平面視略円形状のフィルタ収容第１貫通孔５４が穿設される。
【００６５】
フィルタ収容部材５０の内部には、フィルタ収容第１底部５２と共に２重底を形成するフィルタ収容第２底部５６が形成される。すなわち、フィルタ収容第２底部５６は、略円板状に形成され、且つその端縁はフィルタ収容側部６２の内面におけるフィルタ収容第１底部５２より僅かに上方の部分と一体的に形成される。この実施の形態では、フィルタ収容第１底部５２とフィルタ収容第２底部５６との間において、濾過フィルタ６８を通り抜けた水道水（すなわち、浄水）が流入する第１の空間部８４が形成される。なお、この実施の形態では、上記した一実施の形態の台座８０が配設されない。したがって、この実施の形態では、当該台座８０の中空部分の一部である第２の空間部８６も形成されない。フィルタ収容第２底部５６には、その全体に均等に分散するように、複数のフィルタ収容第２貫通孔５８が穿設される。
【００６６】
フィルタ収容第１底部５２の内面には、フィルタ収容第１貫通孔５４の端縁部分から突き出るように、略円筒状のフィルタ収容底円筒部６０が形成される。フィルタ収容底円筒部６０は、フィルタ収容部材５０と互いの軸線が揃った状態で形成される。フィルタ収容底円筒部６０の先端部は、フィルタ収容第２底部５６よりも僅かに下方に位置する。
【００６７】
フィルタ収容側部６２の外面には、円環状のシール部材８０を嵌合するための嵌合凹部６４が形成される。また、フィルタ収容側部６２の先端部分には、格子部６６が形成される。格子部６６は、側面視略四角状の複数の貫通孔が格子状に配設されることにより形成される。濾過部２０は、ボトル部１２の嵌合雄部１６内に収容されるように取り付けられたとき、その格子部６６だけがボトル部１２の貯水部１４まで至るように形成される。
【００６８】
濾過フィルタ６８は、フィルタ収容部材５０の中空部分に対応した円柱状に形成される。濾過フィルタ６８は、フィルタ収容部材５０に収容されたとき、その底部がフィルタ収容第２底部５６の上面に載置され、且つその天部の高さ方向の位置が格子部６６の下端縁のそれと同じかまたはほぼ同じとなる。
【００６９】
介在嵌合雄部９４の底部の内面において、介在貫通孔９６の端縁部分から突き出るように突出棒９８が形成される。突出棒９８は中空に形成され、その先端部は塞がれ、且つその根元部が介在貫通孔９６と連通して開放された態様である。突出棒９８の先端部の近傍部分には、突出棒９８の中空部分と通じるように、突出棒９８の側部を貫通した複数の導通孔９９が穿設される。なお、この実施の形態の導通孔９９は略楕円形状であり、突出棒９８の先端部において分散するように複数（例えば、２０個程度）穿設される。
【００７０】
（効果）
この発明の他の実施の形態に係る浄水ボトル１０は、フィルタ収容部材５０が２重底構造を有し、上方側に位置するフィルタ収容第２底部５６の上面に濾過フィルタ６８が載置される。したがって、この実施の形態に係る浄水ボトル１０は、安定した状態で濾過フィルタ６８を保持することができる。また、浄水ボトル１０は、当該２重底構造により、上記した一実施の形態における台座８０を有さないため、部品点数を少なくすることができる。
【００７１】
また、この発明の他の実施の形態に係る浄水ボトル１０は、突出棒９８に穿設される複数の導通孔９９が、上記した一実施の形態に係るそれよりも多く形成されている。したがって、この発明の他の実施の形態では、効率よく水道水を濾過することが可能となる。
【００７２】
（他の使用態様）
以下、この発明の一実施の形態に係る浄水ボトル１０の他の使用態様について、図７に基づいて説明する。図７は、この発明の一実施の形態に係る浄水ボトルの他の使用態様を示す高さ方向に沿った断面図である。なお、この使用態様において、浄水ボトル１０の構造は上記した一実施の形態と同様であり、サーバー本体１５０および介在部材９０の構造のみが上記した一実施の形態のウォーターサーバー１００と異なる。したがって、ここではサーバー本体１５０および介在部材９０についてのみ説明し、同一部分には同じ参照番号を付し、同様となる説明は繰り返さない。
【００７３】
この使用態様において、介在部材９０は、サーバー本体１５０の天部と一体的に形成される。また、介在部材９０は、平面視略円形状の外縁を有し、その外縁から略中央部分に向かうほど厚みが増すような略受皿状に形成される。また、介在部材９０の略中央部分には、上記した使用態様における介在嵌合雄部９４に相当する貫通孔が形成される。なお、サーバー本体１５０の嵌合雌部１７０は、底部（および天部）のない筒状に形成される。そして、この使用態様における突出棒９８は、サーバー本体１５０の浄水が貯えられる空間内から上方に向けて突設される。
【００７４】
すなわち、浄水ボトル１０の嵌合雄部１６が介在部材９０の介在嵌合雄部９４およびサーバー本体１５０の嵌合雌部１７０に嵌合されたとき、サーバー本体１５０内に設けられた突出棒９８が濾過部２０の弁開閉部４２を底面側から押し広げるように開きながら通り抜け、フィルタ収容突部５３の近傍まで至る。その後の水道水の濾過態様は、上記した一実施の形態と同様であるため、その説明を繰り返さない。
【００７５】
（変形例）
なお、上記した実施の形態では、濾過部２０に含まれる各部材（蓋部材３０、弁部材４０、フィルタ収容部材５０、濾過フィルタ６８、圧力調整パイプ７０、シール部材７２および台座８０）がそれぞれ単独であり、ユーザーが当該濾過部２０をボトル部１２に取り付けると同時に組み立てる場合について説明した。しかしながら、この場合に限定されず、濾過部２０に含まれる各部材は、それぞれ、予め互いに固着または嵌合されていてもよい。なお、濾過フィルタ６８とフィルタ収容部材５０は、予め互いに固着され、一体的に形成されることが好ましい。これにより、濾過フィルタ６８およびフィルタ収容部材５０の定期的な交換を効率良く行うことが可能となる。
【００７６】
また、濾過部２０に含まれるフィルタ収容部材５０は、上記した実施の形態において説明した構造に限定されず、濾過フィルタ６８とフィルタ収容第１底部５２との間に空隙が形成される構造であればよい。例えば、フィルタ収容側部６２とフィルタ収容第１底部５２との接続部分に、フィルタ収容第１底部５２に近づくに従ってその内径が小さくなるように丸みを形成することにより、濾過フィルタ６８とフィルタ収容第１底部５２との間に空隙が形成されてもよい。これにより、濾過部２０をより簡単な構造とすることができる。
【００７７】
以上のように、本発明の実施の形態は、前記記載で開示されているが、本発明は、これに限定されるものではない。すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００７８】
１０  浄水ボトル
１２  ボトル部
１４  貯水部
１６  嵌合雄部
１８  雄螺子部
１９  把持部
２０  濾過部
３０  蓋部材
３２  蓋底部
３４  蓋貫通孔
３６  蓋側部
３８  雌螺子部
４０  弁部材
４２  弁開閉部
５０  フィルタ収容部材
５２  フィルタ収容第１底部
５３  フィルタ収容突部
５４  フィルタ収容第１貫通孔
５６  フィルタ収容第２底部
５８  フィルタ収容第２貫通孔
６０  フィルタ収容底円筒部
６２  フィルタ収容側部
６４  嵌合凹部
６６  格子部
６８  濾過フィルタ
６９  フィルタ固着部
７０  圧力調整パイプ
７２  シール部材
８０  台座
８２  台座貫通孔
８４  第１の空間部
８６  第２の空間部
９０  介在部材
９２  介在部本体
９３ａ  介在外縁部
９３ｂ  介在中縁部
９４  介在嵌合雄部
９６  介在貫通孔
９８  突出棒
９９  導通孔
１００  ウォーターサーバー
１５０  サーバー本体
１７０  嵌合雌部
１７２  サーバー貫通孔
【図１】
2019147562.tif 000003
【図２】
2019147562.tif 000004
【図３】
2019147562.tif 000005
【図４】
2019147562.tif 000006
【図５】
2019147562.tif 000007
【図６】
2019147562.tif 000008
【図７】
2019147562.tif 000009